(57)【要約】  本発明は、３Ｄ表示パネル及び３Ｄ表示装置を提供する。３Ｄ表示パネルは、基板、複数の画素ユニット、及び第１、第２発光ユニットを備える。各画素ユニットは、少なくとも１つのサブ画素を含む。各サブ画素は、第１、第２発光ユニットにそれぞれ対応する第１、第２サブ画素を含む。２つの発光ユニットはいずれも順に重なる陽極、正孔輸送層、配向層、発光層、電子輸送層及び陰極を含む。第１発光ユニットにおいて、配向層は、発光層が第１配向状態になるように発光層を配向させ、陰極によって生成された第１電子と陽極によって生成された第１正孔とは、発光層内で再結合して第１偏光を発する。第２発光ユニットにおいて、発光層が第２配向状態になるように発光層を配向させ、陰極によって生成された第２電子と陽極によって生成された第２正孔とは、発光層内で再結合して第２偏光を発する。第１偏光の偏光状態と第２偏光の偏光状態とは互いに直交する。
2019513281.tif 000002
【特許請求の範囲】
【請求項１】
３Ｄ表示パネルであって、基板と、前記基板にマトリックス状に配置された複数の画素ユニットとを含み、各画素ユニットは、少なくとも１つのサブ画素を含み、各サブ画素は、第１サブ画素及び第２サブ画素を含み、前記３Ｄ表示パネルは、前記基板の同じ側に配置された、前記第１サブ画素に対応する第１発光ユニットと前記第２サブ画素に対応する第２発光ユニットとを更に含み、前記第１発光ユニットは第１薄膜トランジスタにより制御され、前記第２発光ユニットは第２薄膜トランジスタにより制御され、前記第１発光ユニットは、前記基板の同じ側に配置され順に重なる第１陽極、第１正孔輸送層、第１配向層、第１発光層、第１電子輸送層及び第１陰極を含み、前記第１陽極は第１正孔を提供するために使用され、前記第１正孔輸送層は前記第１正孔を前記第１発光層に輸送するために使用され、前記第１配向層は、前記第１発光層が第１配向状態になるように前記第１発光層を配向させるために使用され、前記第１陰極は第１電子を提供するために使用され、前記第１電子輸送層は、前記第１電子を前記第１発光層に輸送するために使用され、前記第１電子と前記第１正孔とは、第１偏光を発するように前記第１発光層内で再結合し、前記第２発光ユニットは、前記基板の同じ側に配置され順に重なる第２陽極、第２正孔輸送層、第２配向層、第２発光層、第２電子輸送層及び第２陰極を含み、前記第２陽極は第２正孔を提供するために使用され、前記第２正孔輸送層は前記第２正孔を前記第２発光層に輸送するために使用され、前記第２配向層は、前記第１発光層が第２配向状態になるように前記第２発光層を配向させるために使用され、前記第２陰極は第２電子を提供するために使用され、前記第２電子輸送層は前記第２電子を前記第２発光層に輸送するために使用され、前記第２電子と前記第２正孔とは、第２偏光を発するように前記第２発光層内で再結合し、前記第１偏光の偏光状態と前記第２偏光の偏光状態とは互いに直交する、ことを特徴とする３Ｄ表示パネル。
【請求項２】
前記第１発光ユニット及び前記第２発光ユニットは、
前記第１陽極及び前記第２陽極が同じ層に配置されるという条件、
前記第１正孔輸送層及び前記第２正孔輸送層が同じ層に配置されるという条件、
前記第１配向層及び前記第２配向層が同じ層に配置されるという条件、
前記第１発光層及び前記第２発光層が同じ層に配置されるという条件、
前記第１電子輸送層及び前記第２電子輸送層が同じ層に配置されるという条件、並びに
前記第１陰極及び前記第２陰極が同じ層に配置されるという条件のうちの少なくとも１つを満たす、ことを特徴とする請求項１に記載の３Ｄ表示パネル。
【請求項３】
前記第２発光ユニット及び前記第２発光ユニットは、
前記第１陽極及び前記第２陽極が同じ層に配置される場合、前記第１陽極及び前記第２陽極は一体構造となるという条件、
前記第１正孔輸送層及び前記第２正孔輸送層が同じ層に配置される場合、前記第１正孔輸送層及び前記第２正孔輸送層は一体構造となるという条件、
前記第１配向層及び前記第２配向層が同じ層に配置される場合、前記第１配向層及び前記第２配向層は一体構造となるという条件、
前記第１発光層及び前記第２発光層が同じ層に配置される場合、前記第１発光層及び前記第２発光層は一体構造となるという条件、
前記第１電子輸送層及び前記第２電子輸送層が同じ層に配置される場合、前記第１電子輸送層及び前記第２電子輸送層は同じ層に配置されるという条件、並びに
前記第１陰極及び前記第２陰極が同じ層に配置される場合、前記第１陰極及び前記第２陰極は一体構造となるという条件のうちの少なくとも１つを満たす、ことを特徴とする請求項２に記載の３Ｄ表示パネル。
【請求項４】
前記基板は、前記第１陽極の前記第１正孔輸送層から離れる表面に配置され、且つ第２陽極の前記第２正孔輸送層から離れる表面に配置される、ことを特徴とする請求項１に記載の３Ｄ表示パネル。
【請求項５】
前記第１陽極及び前記第２陽極はいずれも透明電極であり、前記第１陰極及び前記第２陰極はいずれも金属電極であり、前記第１偏光及び前記第２偏光は、前記基板の前記第１陽極及び前記第２陽極から離れる表面から射出する、ことを特徴とする請求項４に記載の３Ｄ表示パネル。
【請求項６】
前記基板は、前記第１陰極の前記第１電子輸送層から離れる表面に配置され、且つ第２陰極の前記第２電子輸送層から離れる表面に配置される、ことを特徴とする請求項１に記載の３Ｄ表示パネル。
【請求項７】
前記第１陰極及び前記第２陰極はいずれも透明電極であり、前記第１陽極及び前記第２陽極はいずれも金属電極であり、前記第１偏光及び前記第２偏光は、前記基板の前記第１陰極及び前記第２陰極から離れる表面から射出する、ことを特徴とする請求項６に記載の３Ｄ表示パネル。
【請求項８】
前記第１発光層及び前記第２発光層はいずれも有機液晶ポリマーを含む、ことを特徴とする請求項１に記載の３Ｄ表示パネル。
【請求項９】
前記第１配向層は、ＰＥＤＯＴ：ＰＳＳ、ＰＰＶ又はＰＡＮＩのうちのいずれか１つを含み、前記第２配向層は、ＰＥＤＯＴ：ＰＳＳ、ＰＰＶ又はＰＡＮＩのうちのいずれか１つを含む、ことを特徴とする請求項１に記載の３Ｄ表示パネル。
【請求項１０】
３Ｄ表示装置であって、３Ｄ表示パネルを含み、前記３Ｄ表示パネルは、基板と、前記基板にマトリックス状に配置された複数の画素ユニットとを含み、各画素ユニットは、少なくとも１つのサブ画素を含み、各サブ画素は、第１サブ画素及び第２サブ画素を含み、前記３Ｄ表示パネルは、前記基板の同じ側に配置される前記第１サブ画素に対応する第１発光ユニットと前記第２サブ画素に対応する第２発光ユニットとを更に含み、前記第１発光ユニットは第１薄膜トランジスタにより制御され、前記第２発光ユニットは第２薄膜トランジスタにより制御され、前記第１発光ユニットは、前記基板の同じ側に配置され順に重なる第１陽極、第１正孔輸送層、第１配向層、第１発光層、第１電子輸送層及び第１陰極を含み、前記第１陽極は第１正孔を提供するために使用され、前記第１正孔輸送層は前記第１正孔を前記第１発光層に輸送するために使用され、前記第１配向層は、前記第１発光層が第１配向状態になるように前記第１発光層を配向させるために使用され、前記第１陰極は第１電子を提供するために使用され、前記第１電子輸送層は、前記第１電子を前記第１発光層に輸送するために使用され、前記第１電子と前記第１正孔とは、第１偏光を発するように前記第１発光層内で再結合し、前記第２発光ユニットは、前記基板の同じ側に配置され順に重なる第２陽極、第２正孔輸送層、第２配向層、第２発光層、第２電子輸送層及び第２陰極を含み、前記第２陽極は第２正孔を提供するために使用され、前記第２正孔輸送層は前記第２正孔を前記第２発光層に輸送するために使用され、前記第２配向層は、前記第１発光層が第２配向状態になるように前記第２発光層を配向させるために使用され、前記第２陰極は第２電子を提供するために使用され、前記第２電子輸送層は前記第２電子を前記第２発光層に輸送するために使用され、前記第２電子と前記第２正孔とは、第２偏光を発するように前記第２発光層内で再結合し、前記第１偏光の偏光状態と前記第２偏光の偏光状態とは互いに直交する、ことを特徴とする３Ｄ表示装置。
【請求項１１】
前記第１発光ユニット及び前記第２発光ユニットは、
前記第１陽極及び前記第２陽極が同じ層に配置されるという条件、
前記第１正孔輸送層及び前記第２正孔輸送層が同じ層に配置されるという条件、
前記第１配向層及び前記第２配向層が同じ層に配置されるという条件、
前記第１発光層及び前記第２発光層が同じ層に配置されるという条件、
前記第１電子輸送層及び前記第２電子輸送層が同じ層に配置されるという条件、並びに
前記第１陰極及び前記第２陰極が同じ層に配置されるという条件のうちの少なくとも１つを満たす、ことを特徴とする請求項１０に記載の３Ｄ表示装置。
【請求項１２】
前記第１発光ユニット及び前記第２発光ユニットは、
前記第１陽極及び前記第２陽極が同じ層に配置される場合、前記第１陽極及び前記第２陽極は一体構造となるという条件、
前記第１正孔輸送層及び前記第２正孔輸送層が同じ層に配置される場合、前記第１正孔輸送層及び前記第２正孔輸送層は一体構造となるという条件、
前記第１配向層及び前記第２配向層が同じ層に配置される場合、前記第１配向層及び前記第２配向層は一体構造となるという条件、
前記第１発光層及び前記第２発光層が同じ層に配置される場合、前記第１発光層及び前記第２発光層は一体構造となるという条件、
前記第１電子輸送層及び前記第２電子輸送層が同じ層に配置される場合、前記第１電子輸送層及び前記第２電子輸送層は同じ層に配置されるという条件、並びに
前記第１陰極及び前記第２陰極が同じ層に配置される場合、前記第１陰極及び前記第２陰極は一体構造となるという条件のうちの少なくとも１つを満たす、ことを特徴とする請求項１１に記載の３Ｄ表示装置。
【請求項１３】
前記基板は、前記第１陽極の前記第１正孔輸送層から離れる表面に配置され、且つ第２陽極の前記第２正孔輸送層から離れる表面に配置される、ことを特徴とする請求項１０に記載の３Ｄ表示装置。
【請求項１４】
前記第１陽極及び前記第２陽極はいずれも透明電極であり、前記第１陰極及び前記第２陰極はいずれも金属電極であり、前記第１偏光及び前記第２偏光は、前記基板の前記第１陽極及び前記第２陽極から離れる表面から射出する、ことを特徴とする請求項１３に記載の３Ｄ表示装置。
【請求項１５】
前記基板は、前記第１陰極の前記第１電子輸送層から離れる表面に配置され、且つ第２陰極の前記第２電子輸送層から離れる表面に配置される、ことを特徴とする請求項１０に記載の３Ｄ表示装置。
【請求項１６】
前記第１陰極及び前記第２陰極はいずれも透明電極であり、前記第１陽極及び前記第２陽極はいずれも金属電極であり、前記第１偏光及び前記第２偏光は、前記基板の前記第１陰極及び前記第２陰極から離れる表面から射出する、ことを特徴とする請求項１５に記載の３Ｄ表示装置。
【請求項１７】
前記第１発光層及び前記第２発光層はいずれも有機液晶ポリマーを含む、ことを特徴とする請求項１０に記載の３Ｄ表示装置。
【請求項１８】
前記第１配向層は、ＰＥＤＯＴ：ＰＳＳ、ＰＰＶ又はＰＡＮＩのうちのいずれか１つを含み、前記第２配向層は、ＰＥＤＯＴ：ＰＳＳ、ＰＰＶ又はＰＡＮＩのうちのいずれか１つを含む、ことを特徴とする請求項１０に記載の３Ｄ表示装置。
【発明の詳細な説明】
【技術分野】
【０００１】
本発明は、２０１６年３月２４日に出願された、「３Ｄ表示パネル及び３Ｄ表示装置」を発明の名称とする中国特許出願第２０１６１０１７６２１６．２号の優先権を主張し、前述の特許出願の内容を参照により本願に援用する。
【０００２】
本発明は表示の分野に関し、特に３Ｄ表示パネル及び３Ｄ表示装置に関する。
【背景技術】
【０００３】
３次元立体表示（ｔｈｒｅｅ−ｄｉｍｅｎｓｉｏｎａｌ、３Ｄ）技術は、人間の左右両眼の視覚の原理を利用して３次元空間の感覚を得るものである。主な原理は、観察者の左眼と右眼がそれぞれ異なる画像を受け取ると、観察者の両眼の瞳孔間距離により位置差が生じるので、「両眼視差」を有する２つの画像が「立体画像対」を形成し、「立体画像対」が脳の解析によって融合され、観察者の左眼と右眼で立体感が生じることである。現在の３Ｄ表示技術は、裸眼３Ｄ表示技術とメガネ式３Ｄ表示技術の２種類に分類されている。メガネ式３Ｄ表示技術は、３Ｄ表示の焦点となっている。
【発明の概要】
【発明が解決しようとする課題】
【０００４】
本発明は３Ｄ表示パネルを提供する。前記３Ｄ表示パネルは、基板と、前記基板にマトリックス状に配置された複数の画素ユニットとを備え、各画素ユニットは、少なくとも１つのサブ画素を含み、各サブ画素は、第１サブ画素及び第２サブ画素を含み、前記３Ｄ表示パネルは、前記基板の同じ側に配置された、前記第１サブ画素に対応する第１発光ユニットと前記第２サブ画素に対応する第２発光ユニットとを更に備え、前記第１発光ユニットは第１薄膜トランジスタにより制御され、前記第２発光ユニットは第２薄膜トランジスタにより制御され、前記第１発光ユニットは、前記基板の同じ側に配置され順に重なる第１陽極、第１正孔輸送層、第１配向層、第１発光層、第１電子輸送層及び第１陰極を含み、前記第１陽極は第１正孔を提供するために使用され、前記第１正孔輸送層は前記第１正孔を前記第１発光層に輸送するために使用され、前記第１配向層は、前記第１発光層が第１配向状態になるように前記第１発光層を配向させるために使用され、前記第１陰極は第１電子を提供するために使用され、前記第１電子輸送層は、前記第１電子を前記第１発光層に輸送するために使用され、前記第１電子と前記第１正孔とは、第１偏光を発するように前記第１発光層内で再結合し、前記第２発光ユニットは、前記基板の同じ側に配置され順に重なる第２陽極、第２正孔輸送層、第２配向層、第２発光層、第２電子輸送層及び第２陰極を含み、前記第２陽極は第２正孔を提供するために使用され、前記第２正孔輸送層は前記第２正孔を前記第２発光層に輸送するために使用され、前記第２配向層は、前記第１発光層が第２配向状態になるように前記第２発光層を配向させるために使用され、前記第２陰極は第２電子を提供するために使用され、前記第２電子輸送層は前記第２電子を前記第２発光層に輸送するために使用され、前記第２電子と前記第２正孔とは、第２偏光を発するように前記第２発光層内で再結合し、前記第１偏光の偏光状態と前記第２偏光の偏光状態とは互いに直交する。
【０００５】
前記第１発光ユニット及び前記第２発光ユニットは、
前記第１陽極及び前記第２陽極が同じ層に配置されるという条件、
前記第１正孔輸送層及び前記第２正孔輸送層が同じ層に配置されるという条件、
前記第１配向層及び前記第２配向層が同じ層に配置されるという条件、
前記第１発光層及び前記第２発光層が同じ層に配置されるという条件、
前記第１電子輸送層及び前記第２電子輸送層が同じ層に配置されるという条件、並びに
前記第１陰極及び前記第２陰極が同じ層に配置されるという条件のうちの少なくとも１つを満たす。
【０００６】
前記第１発光ユニット及び前記第２発光ユニットは、
前記第１陽極及び前記第２陽極が同じ層に配置される場合、前記第１陽極及び前記第２陽極は一体構造となるという条件、
前記第１正孔輸送層及び前記第２正孔輸送層が同じ層に配置される場合、前記第１正孔輸送層及び前記第２正孔輸送層は一体構造となるという条件、
前記第１配向層及び前記第２配向層が同じ層に配置される場合、前記第１配向層及び前記第２配向層は一体構造となるという条件、
前記第１発光層及び前記第２発光層が同じ層に配置される場合、前記第１発光層及び前記第２発光層は一体構造となるという条件、
前記第１電子輸送層及び前記第２電子輸送層が同じ層に配置される場合、前記第１電子輸送層及び前記第２電子輸送層は同じ層に配置されるという条件、並びに
前記第１陰極及び前記第２陰極が同じ層に配置される場合、前記第１陰極及び前記第２陰極は一体構造となるという条件のうちの少なくとも１つを満たす。
【０００７】
前記基板は、前記第１陽極の前記第１正孔輸送層から離れる表面に配置され、且つ第２陽極の前記第２正孔輸送層から離れる表面に配置される。
【０００８】
前記第１陽極及び前記第２陽極はいずれも透明電極であり、前記第１陰極及び前記第２陰極はいずれも金属電極であり、前記第１偏光及び前記第２偏光は、前記基板の前記第１陽極及び前記第２陽極から離れる表面から射出する。
【０００９】
前記基板は、前記第１陰極の前記第１電子輸送層から離れる表面に配置され、且つ第２陰極の前記第２電子輸送層から離れる表面に配置される。
【００１０】
前記第１陰極及び前記第２陰極はいずれも透明電極であり、前記第１陽極及び前記第２陽極はいずれも金属電極であり、前記第１偏光及び前記第２偏光は、前記基板の前記第１陰極及び前記第２陰極から離れる表面から射出する。
【００１１】
前記第１発光層及び前記第２発光層はいずれも有機液晶ポリマーを含む。
【００１２】
前記第１配向層は、ＰＥＤＯＴ：ＰＳＳ、ＰＰＶ又はＰＡＮＩのうちのいずれか１つを含み、前記第２配向層は、ＰＥＤＯＴ：ＰＳＳ、ＰＰＶ又はＰＡＮＩのうちのいずれか１つを含む。
【００１３】
本発明は３Ｄ表示装置をさらに提供する。前記３Ｄ表示装置は、上記実施形態のいずれかに記載の３Ｄ表示パネルを備える。
【００１４】
従来技術と比較して、本発明の３Ｄ表示パネルは、各サブ画素を第１サブ画素と第２サブ画素に分割し、第１サブ画素に対応する第１発光ユニット及び前記第２サブ画素に対応する第２発光ユニットによって、偏光状態が互いに直交する第１偏光と第２偏光に表示画面を分割し、２つの偏光を受光可能な眼鏡を合わせることによって、左眼と右眼とで異なる画像を受け取り、人間の眼の観察により立体画像を合成する。
【図面の簡単な説明】
【００１５】
本発明の実施例又は従来技術の技術的手段を更に詳細に説明するため、下記では実施例又は従来技術の説明に必要な図面を簡単に説明する。当然のことながら、下記の説明における図面は本発明の幾つかの実施例のみであり、当業者にとって、創造的労働を果たさない前提で、これらの図面に基づいて他の図面を得ることができる。
【図１】本発明の好ましい実施形態の３Ｄ表示パネルの模式図である。
【図２】図１における１つのサブ画素の構造模式図である。
【図３】図２のＩＩ−ＩＩ線に沿った断面構造模式図である。
【図４】図２における１つのサブ画素の第１サブ画素に対応する第１発光ユニット及び第２サブ画素に対応する第２発光ユニットによる第１偏光及び第２偏光の模式図である。
【図５】図３における１つのサブ画素に対応する第１偏光及び第２偏光の俯瞰角度の模式図である。
【図６】図１に示される３Ｄ表示パネルの各サブ画素に対応する光線の俯瞰角度の模式図である。
【図７】本発明の好ましい実施形態の３Ｄ表示装置の構造模式図である。
【発明を実施するための形態】
【００１６】
以下、本発明の実施形態に係る添付図面を参照しながら、本発明の実施形態に係る技術的解決手段を明確かつ完全に説明する。当然のことながら、ここで説明する実施形態は本発明の実施形態の全てではなく一部にすぎない。当業者が創造的な作業なしに本発明の実施例に基づいて得られる全ての他の実施例は、本発明の保護範囲に含まれるべきである。
【００１７】
図１〜図６を参照すると、前記３Ｄ（ｔｈｒｅｅ−ｄｉｍｅｎｓｉｏｎａｌ、３次元）表示パネル１００は、有機発光ダイオード（Ｏｒｇａｎｉｃ  Ｌｉｇｈｔ−Ｅｍｉｔｔｉｎｇ  Ｄｉｏｄｅ、ＯＬＥＤ）又は量子ドット発光ダイオード（Ｑｕａｎｔｕｍ  ｄｏｔ  Ｌｉｇｈｔ  Ｅｍｉｔｔｉｎｇ  Ｄｉｏｄｅ、ＱＬＥＤ）などの自発光ディスプレイに適用することができる。前記３Ｄ表示パネル１０は、基板１００と、前記基板１００にマトリックス状に配置された複数の画素ユニット２００とを備える。各画素ユニット２００は、少なくとも１つのサブ画素２１０を含み、各サブ画素は、第１サブ画素２１１及び第２サブ画素２１２を含む。前記３Ｄ表示パネル１０は、前記基板１００の同じ側に配置された、前記第１サブ画素２１１に対応する第１発光ユニット３００及び前記第２サブ画素２１２に対応する第２発光ユニット５００をさらに備える。前記第１発光ユニット３００は、第１薄膜トランジスタＱ１により制御され、前記第２発光ユニット５００は、第２薄膜トランジスタＱ２により制御される。前記第１発光ユニット３００は、前記基板１００の同じ側に配置され順に重なる第１陽極３１０、第１正孔輸送層３２０、第１配向層３３０、第１発光層３４０、第１電子輸送層３５０及び第１陰極３６０を含む。前記第１陰極３１０は第１正孔を提供するために使用され、前記第１正孔輸送層３２０は前記第１正孔を前記第１発光層３４０に輸送するために使用される。前記第１配向層３３０は、前記第１発光層３４０が第１配向状態になるように前記第１発光層３４０を配向させるために使用される。前記第１陰極３６０は第１電子を提供するために使用され、前記第１電子輸送層３５０は第１電子を前記第１発光層３４０に輸送するために使用される。前記第１電子及び前記第１正孔は、第１偏光を発するように前記第１発光層３４０内で再結合する。前記第２発光ユニット５００は、前記基板１００の同じ側に配置され順に重なる第２陽極５１０、第２正孔輸送層５２０、第２配向層５３０、第２発光層５４０、第２電子輸送層５５０及び第２陰極５６０を含む。前記第２陽極５１０は第２正孔を提供するために使用され、前記第２正孔輸送層５２０は前記第２正孔を前記第２発光層５４０に輸送するために使用される。前記第２配向層５３０は、前記第２発光層５４０が第２配向状態になるように前記第２発光層５４０を配向させるために使用される。前記第２陰極５６０は第２電子を提供するために使用され、前記第２電子輸送層５５０は前記第２電子を前記第２発光層５４０に輸送するために使用される。前記第２電子及び前記第２正孔は、第２偏光を発するように前記第２発光層５４０内で再結合する。前記第１偏光の偏光状態と前記第２偏光の偏光状態とは互いに直交する。好ましくは、前記第１偏光は垂直方向の偏光であり、第２偏光は水平方向の偏光である。図５及び図６では、垂直方向の矢印で第１偏光を示し、水平方向の矢印で第２偏光を示す。
【００１８】
具体的には、前記第１発光ユニット３００の第１発光層３４０と前記第２発光ユニット５００の第２発光層５４０の材料は、同じ材料であっても異なる材料であってもよい。本実施形態では、前記第１発光層３４０及び前記第２発光層５４０の両方は、有機液晶ポリマー（Ｌｉｑｕｉｄ  Ｃｒｙｓｔａｌ  Ｐｏｌｙｍｅｒ、ＬＣＰ）を含む。有機液晶ポリマーは、液晶分子の特性を有すると同時に良好な発光特性を有する。配向技術を用いて有機液晶ポリマーの異なる配向状態を実現することができる。前記第１配向層３３０及び前記第１発光層３４０を例として、前記第１配向層３３０の前記第１発光層３４０に対する配向を以下に説明する。まず、配向技術を用いて前記第１配向層３３０を製造する。次に、発光材料（例えば、ＬＣＰ）をスプレー塗装により成膜した後、加熱して、発光材料の分子を前記第１配向層３３０上に配向方向に沿って配列させてから、乾燥成膜化させて、前記第１発光層３４０を形成する。なお、前記第２配向層５３０の前記第２発光層５４０に対する配向の態様は、前記第１配向層３３０の前記第１発光層３４０に対する配向の態様と同じであるので、ここでは詳細に説明しない。前記第１発光ユニット３００及び前記第２発光ユニット５００は、以下の条件のうちの少なくとも１つを満たす。（１）前記第１陽極３１０及び前記第２陽極５１０が同じ層に配置される。（２）前記第１正孔輸送層３２０及び前記第２正孔輸送層５２０が同じ層に配置される。（３）前記第１配向層３３０及び前記第２配向層５３０が同じ層に配置される。（４）前記第１発光層３４０及び前記第２発光層５４０が同じ層に配置される。（５）前記第１電子輸送層３５０及び前記第２電子輸送層５５０が同じ層に配置される。（６）前記第１陰極３６０与前記第２陰極５６０が同じ層に配置される。好ましくは、前記第１発光ユニット３００及び前記第２発光ユニット５００は、以下の条件のうちの少なくとも１つを満たす。（１）前記第１陽極３１０及び前記第２陽極５１０が同じ層に配置される場合、前記第１陽極３１０及び前記第２陽極５１０は一体構造となる。（２）前記第１正孔輸送層３２０及び前記第２正孔輸送層５２０が同じ層に配置される場合、前記第１正孔輸送層３２０及び前記第２正孔輸送層５２０は一体構造となる。（３）前記第１配向層３３０及び前記第２配向層５３０が同じ層に配置される場合、前記第１配向層３３０及び前記第２配向層５３０は一体構造となる。（４）前記第１発光層３４０及び前記第２発光層５４０が同じ層に配置される場合、前記第１発光層３４０及び前記第２発光層５４０は一体構造となる。（５）前記第１電子輸送層３５０及び前記第２電子輸送層５５０が同じ層に配置される場合、前記第１発光層３４０及び前記第２発光層５４０は一体構造となる。（６）前記第１陰極３６０及び前記第２陰極５６０が同じ層に配置される場合、前記第１発光層３４０及び前記第２発光層５４０は一体構造となる。前記第１発光ユニット３００及び前記第２発光ユニット５００が上記条件のうちのいずれか１つを満たすと、製造プロセスを簡略化することができる。
【００１９】
本実施形態では、前記基板１００は、前記第１陽極３１０の前記第１正孔輸送層３２０から離れる表面に配置され、且つ前記第２陽極５１０の前記第２正孔輸送層５２０から離れる表面に配置される。前記第１陽極３１０及び前記第２陽極５１０はいずれも透明電極であり、前記第１陰極３６０及び前記第２陰極５６０はいずれも金属電極であり、前記第１偏光及び前記第２偏光は、前記基板１００の前記第１陽極５１０及び前記第２陽極５２０から離れる表面から射出する。
【００２０】
他の実施形態では、前記基板１００は、前記第１陰極３６０の前記第１電子輸送層３５０から離れる表面に配置され、且つ前記第２陰極５６０の前記第２電子輸送層５５０から離れる表面に配置される。前記第１陰極３６０及び前記第２陰極５６０はいずれも透明電極であり、前記第１陽極３１０及び前記第２陽極５１０はいずれも金属電極であり、前記第１偏光及び前記第２偏光は、前記基板１００の前記第１陰極３６０及び前記第２陰極５６０から離れる表面から射出する。
【００２１】
本実施形態では、前記第１配向層３３０は、ポリ（３，４-エチレンジオキシチオフェン）−ポリスチレンスルホン酸（ＰＥＤＯＴ：ＰＳＳ）、ポリパラフェニレンビニレン（ＰＰＶ）、又はポリアニリン（ＰＡＮＩ）のうちのいずれか１つを含む。前記第２配向層５３０は、ＰＥＤＯＴ：ＰＳＳ、ＰＰＶ又はＰＡＮＩのうちのいずれか１つを含む。
【００２２】
従来技術と比較して、本発明の３Ｄ表示パネル１０は、各サブ画素２１０を第１サブ画素２１１と第２サブ画素２１２に分割し、第１サブ画素２１１に対応する第１発光ユニット３００及び前記第２サブ画素２１２に対応する第２発光ユニット５００によって、偏光状態が互いに直交する第１偏光と第２偏光に表示画面を分割し、２つの偏光を受光可能な眼鏡を合わせることによって、左眼と右眼とで異なる画像を受け取り、人間の眼の観察により立体画像を合成する。
【００２３】
図７を参照すると、図７は、本発明の好ましい実施形態の３Ｄ表示装置の構造模式図である。本発明の３Ｄ表示装置１は、前記３Ｄ表示パネル１０を備えるが、ここでは詳細に説明しない。前記３Ｄ表示装置１は、スマートフォン、携帯インターネット装置（Ｍｏｂｉｌｅ  Ｉｎｔｅｒｎｅｔ  Ｄｅｖｉｃｅ，ＭＩＤ）、電子書籍、プレイステーション・ポータブル（Ｐｌａｙ  Ｓｔａｔｉｏｎ  Ｐｏｒｔａｂｌｅ，ＰＳＰ）（登録商標）又は携帯情報端末（Ｐｅｒｓｏｎａｌ  Ｄｉｇｉｔａｌ  Ａｓｓｉｓｔａｎｔ，ＰＤＡ）などの電子装置であってもよいが、それらに限定されない。前記３Ｄ表示装置１はまた、ディスプレイなどであってもよい。
【００２４】
以上は、本発明の好適な実施例に過ぎず、本発明の範囲はこれに限定されるものではなく、当業者であれば、上述した実施例の全部または一部のプロセスを理解することができ、本発明の特許請求の範囲に従って行われる同等の変更は、依然として発明の範囲内にある。
【図１】
2019513281.tif 000003
【図２】
2019513281.tif 000004
【図３】
2019513281.tif 000005
【図４】
2019513281.tif 000006
【図５】
2019513281.tif 000007
【図６】
2019513281.tif 000008
【図７】
2019513281.tif 000009
【国際調査報告】
2019513281.tif 000010
2019513281.tif 000011
2019513281.tif 000012
2019513281.tif 000013